Podtech/llm-jp-corpus-v4-ja_patent huggingface dataset:
【手続補正書】
【提出日】平成19年6月13日(2007.6.13)
【手続補正１】
【補正対象書類名】明細書
【補正対象項目名】特許請求の範囲
【補正方法】変更
【補正の内容】
【特許請求の範囲】
【請求項１】  放電空間を形成するように対向配置された一対の基板と、少なくとも一方の基板上に形成された電極と、その電極を被覆する誘電体層とを有するガス放電パネルであって、誘電体層が、ＳｉＯ2を主成分とし、かつ５×１０21ａｔｏｍ／ｃｍ3以下の水素含有量の材料からなることを特徴とするガス放電パネル。
【請求項２】  水素含有量が、１×１０21〜５×１０21ａｔｏｍ／ｃｍ3の範囲である請求項１に記載のガス放電パネル。
【請求項３】  放電空間を形成するように対向配置された一対の基板と、少なくとも一方の基板上に形成された電極と、その電極を被覆する誘電体層とを有するガス放電パネルであって、誘電体層が、ＳｉＯ2を主成分とし、かつ３×１０20ａｔｏｍ／ｃｍ3以下の窒素含有量の材料からなることを特徴とするガス放電パネル。
【請求項４】  窒素含有量が、１×１０19〜３×１０20ａｔｏｍ／ｃｍ3の範囲である請求項３に記載のガス放電パネル。
【請求項５】  放電空間を形成するように対向配置された一対の基板と、少なくとも一方の基板上に形成された電極と、その電極を被覆する誘電体層とを有するガス放電パネルであって、誘電体層が、ＳｉＯ2を主成分とし、かつ５×１０21ａｔｏｍ／ｃｍ3以下の水素含有量及び３×１０20ａｔｏｍ／ｃｍ3以下の窒素含有量の材料からなることを特徴とするガス放電パネル。
【請求項６】  水素含有量が、１×１０21〜５×１０21ａｔｏｍ／ｃｍ3の範囲であり、窒素含有量が、１×１０19〜３×１０20ａｔｏｍ／ｃｍ3の範囲である請求項５に記載のガス放電パネル。
【請求項７】  請求項１〜６のいずれかに記載のガス放電パネルを製造する方法であって、誘電体層を気相成長法により形成することを特徴とするガス放電パネルの製造方法。
【請求項８】  誘電体層が、ＳｉＨ4及びＮ2Ｏを原料ガスとしてプラズマＣＶＤ法により形成される請求項７に記載のガス放電パネルの製造方法。
【手続補正２】
【補正対象書類名】明細書
【補正対象項目名】００１５
【補正方法】変更
【補正の内容】
【００１５】
かくして本発明によれば、放電空間を形成するように対向配置された一対の基板と、少なくとも一方の基板上に形成された電極と、その電極を被覆する誘電体層とを有するガス放電パネルであって、誘電体層が、ＳｉＯ2を主成分とし、かつ５×１０21ａｔｏｍ／ｃｍ3以下の水素含有量及び／又は３×１０20ａｔｏｍ／ｃｍ3以下の窒素含有量の材料からなることを特徴とするガス放電パネルが提供される。
【手続補正書】
【提出日】平成19年1月30日(2007.1.30)
【手続補正１】
【補正対象書類名】明細書
【補正対象項目名】特許請求の範囲
【補正方法】変更
【補正の内容】
【特許請求の範囲】
【請求項１】
照明器具に用いられ光源の光から虫を誘引しやすい波長の光を取り除く光フィルタであって、波長が約３００ｎｍから約３９５ｎｍまでの光を略１００％カットし、波長が約４０５ｎｍの光の透過率が約５０％以下となり、波長が約４５０ｎｍ以上の光の平均透過率が約５０％以上となるようにカット率及び透過率が調整された透光性材料からなることを特徴とする光フィルタ。
【請求項２】
前記透光性材料の単層又は複数層の積層体の何れかからなることを特徴とする請求項１記載の光フィルタ。
【請求項３】
少なくとも人から視認可能な側の表面に、前記透光性材料よりも屈折率の高い層を積層したことを特徴とする請求項１記載の光フィルタ。
【請求項４】
前記透光性材料は、波長が約４１０ｎｍ以下の光で励起し、青色領域の光に蛍光発色のピークを有するフォトルミネッセンス材料を添加した乳白色の材料又は拡散材料の何れかからなることを特徴とする請求項１記載の光フィルタ。
【請求項５】
請求項１乃至４の何れか１つに記載の光フィルタを光源の照射方向に配置したことを特徴とする照明器具。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
請求項３の発明では、請求項１の発明において、少なくとも人から視認可能な側の表面に、透光性材料よりも屈折率の高い層を積層したことを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
請求項４の発明では、請求項１の発明において、透光性材料は、波長が約４１０ｎｍ以下の光で励起し、青色領域の光に蛍光発色のピークを有するフォトルミネッセンス材料を添加した乳白色の材料又は拡散材料の何れかからなることを特徴とする。
【手続補正９】
【補正対象書類名】明細書
【補正対象項目名】００１８
【補正方法】変更
【補正の内容】
【００１８】
請求項５の発明では、請求項１乃至４の何れか１つに記載の光フィルタを光源の照射方向に配置したことを特徴とする。
【手続補正１０】
【補正対象書類名】明細書
【補正対象項目名】００６３
【補正方法】削除
【補正の内容】
【手続補正１１】
【補正対象書類名】明細書
【補正対象項目名】００６４
【補正方法】削除
【補正の内容】
【手続補正１２】
【補正対象書類名】明細書
【補正対象項目名】００６５
【補正方法】削除
【補正の内容】
【手続補正１３】
【補正対象書類名】明細書
【補正対象項目名】００６６
【補正方法】変更
【補正の内容】
【００６６】
請求項３の発明は、請求項１の発明において、少なくとも人から視認可能な側の表面に、透光性材料よりも屈折率の高い層を積層したことを特徴とし、透光性材料よりも屈折率の高い層（高屈折率層）を人から視認可能な側の表面に積層しているので、光フィルタを照明器具の照射方向に配置した場合には、消灯時に照明器具を見たときに、高屈折率層が無い場合に比べて表面反射が大きくなるため、光フィルタの黄色味を識別できなくなり、光フィルタの見掛けを良くできるという効果がある。
【手続補正１４】
【補正対象書類名】明細書
【補正対象項目名】００６７
【補正方法】削除
【補正の内容】
【手続補正１５】
【補正対象書類名】明細書
【補正対象項目名】００６８
【補正方法】削除
【補正の内容】
【手続補正１６】
【補正対象書類名】明細書
【補正対象項目名】００６９
【補正方法】変更
【補正の内容】
【００６９】
請求項４の発明は、請求項１の発明において、透光性材料は、波長が約４１０ｎｍ以下の光で励起し、青色領域の光に蛍光発色のピークを有するフォトルミネッセンス材料を添加した乳白材料又は拡散材料の何れかからなることを特徴とし、フォトルミネッセンス材料は波長が約４１０ｎｍ以下の紫外領域の光で励起されて青色領域の光で発光するので、光フィルタの色調を損なうことなく、紫外領域の光を低減して虫を引き寄せにくくできるという効果がある。
【手続補正１７】
【補正対象書類名】明細書
【補正対象項目名】００７０
【補正方法】変更
【補正の内容】
【００７０】
請求項５の発明は、請求項１乃至４の何れか１つに記載の光フィルタを光源の照射方向に配置したことを特徴とし、紫外領域の光を低減して虫を引き寄せにくくするととともに、光が黄色味を帯びるのを低減した照明器具を実現できる。
【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
予め定めた所定条件を契機に複数回のラウンド遊技からなる大当り遊技が行われ、該大当り遊技中に音出力手段から複数種類の楽曲を出力させて演出を行う遊技機において、
ラウンド遊技の開始を指示するとともに、当該ラウンド遊技が前記複数回のラウンド遊技のうち何れのラウンド遊技であるかを識別可能なラウンド開始指令を出力する指令手段と、
複数種類の楽曲データを記憶する楽曲データ記憶手段と、
前記ラウンド開始指令を入力する毎に、前記複数回のラウンド遊技のうち何れのラウンド遊技であるかに基づいて楽曲を指定する楽曲指定手段と、
前記楽曲指定手段が指定した楽曲と現在出力されている楽曲が一致するか否かを判定する楽曲判定手段と、
前記楽曲判定手段の判定結果が否定の場合に、前記音出力手段から出力される楽曲を前記楽曲指定手段が指定した楽曲に切替えて出力させる楽曲制御手段とを備えたことを特徴とする遊技機。
【請求項２】
前記楽曲制御手段は、前記楽曲判定手段の判定結果が肯定の場合に、前記音出力手段から出力されている楽曲を継続して出力させることを特徴とする請求項１に記載の遊技機。
【請求項３】
予め定めた所定条件を契機に複数回のラウンド遊技からなる大当り遊技が行われ、該大当り遊技中に表示手段で複数種類の画像を表示させて演出を行う遊技機において、
ラウンド遊技の開始を指示するとともに、当該ラウンド遊技が前記複数回のラウンド遊技のうち何れのラウンド遊技であるかを識別可能なラウンド開始指令を出力する指令手段と、
複数種類の画像データを記憶する画像データ記憶手段と、
前記ラウンド開始指令を入力する毎に、前記複数回のラウンド遊技のうち何れのラウンド遊技であるかに基づいて画像を指定する画像指定手段と、
前記画像指定手段が指定した画像と現在表示されている画像が一致するか否かを判定する画像判定手段と、
前記画像判定手段の判定結果が否定の場合に、前記表示手段で表示される画像を前記画像指定手段が指定した画像に切替えて表示させる表示制御手段とを備えたことを特徴とする遊技機。
【請求項４】
予め定めた所定条件を契機に複数回のラウンド遊技からなる大当り遊技が行われ、該大当り遊技中に発光手段を複数種類の発光パターンで発光させて演出を行う遊技機において、
ラウンド遊技の開始を指示するとともに、当該ラウンド遊技が前記複数回のラウンド遊技のうち何れのラウンド遊技であるかを識別可能なラウンド開始指令を出力する指令手段と、
複数種類の発光パターンを記憶する発光パターン記憶手段と、
前記ラウンド開始指令を入力する毎に、前記複数回のラウンド遊技のうち何れのラウンド遊技であるかに基づいて発光パターンを指定する発光パターン指定手段と、
前記発光パターン指定手段が指定した発光パターンと現在実行されている発光パターンとが一致するか否かを判定する発光パターン判定手段と、
前記発光パターン判定手段の判定結果が否定の場合に、前記発光手段の発光パターンを前記発光パターン指定手段が指定した発光パターンに切替えて発光させる発光制御手段とを備えたことを特徴とする遊技機。
【手続補正２】
【補正対象書類名】明細書
【補正対象項目名】００１０
【補正方法】削除
【補正の内容】
【手続補正３】
【補正対象書類名】明細書
【補正対象項目名】００６３
【補正方法】変更
【補正の内容】
【００６３】
次に、前記実施形態及び別例から把握できる技術的思想を以下に追記する。
（イ）前記楽曲制御手段は、前記音出力手段から出力させる楽曲を切替える迄の間、同一の楽曲データに基づく楽曲を継続し、かつ、繰り返し出力させることを特徴とする請求項１に記載の遊技機。
（ロ）予め定めた所定条件を契機に複数回のラウンド遊技からなる大当り遊技が行われ、該大当り遊技中に複数の演出実行手段で遊技演出を実行させる遊技機において、遊技機全体を制御する主制御装置と、該主制御装置からの指示に基づいて前記演出実行手段を制御する複数の演出制御装置とを備え、前記複数の演出制御装置には、音出力手段を制御する音制御装置と表示手段を制御する表示制御装置とを含み、前記主制御装置には、ラウンド遊技の開始を指示するとともに、当該ラウンド遊技が前記複数回のラウンド遊技のうち何れのラウンド遊技であるかを識別可能なラウンド開始指令を出力する指令手段を設ける一方で、少なくとも音制御装置及び表示制御装置には、複数種類の遊技演出データを記憶する遊技演出記憶手段と、前記ラウンド開始指令を入力する毎に、前記複数回のラウンド遊技のうち何れのラウンド遊技であるかに基づいて遊技演出を指定する遊技演出指定手段と、前記遊技演出指定手段が指定した遊技演出と現在実行されている遊技演出が一致するか否かを判定する遊技演出判定手段と、前記遊技演出判定手段の判定結果が否定の場合に、前記演出実行手段で実行される遊技演出を前記遊技演出指定手段が指定した遊技演出に切替えて実行させる遊技演出制御手段とを設けたことを特徴とする遊技機。
【手続補正書】
【提出日】平成18年12月22日(2006.12.22)
【手続補正１】
【補正対象書類名】特許請求の範囲
【補正対象項目名】全文
【補正方法】変更
【補正の内容】
【書類名】特許請求の範囲【請求項１】  多角形の箱わな本体の長さを分割し、ワン金、およびネジで接合、入り口の枠や、上下に二分した本体の上下をネジで結合、分離、組み立てを可能にする箱わな。【請求項２】  箱わな本体の上部を半円形になす請求項１記載の箱わな。【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２２
【補正方法】変更
【補正の内容】
【００２２】
【図１】箱わな入り口の枠からの正面図。
【図２】箱わなの側面図。
【図３】餌に関連した仕掛けの斜視図。
【図４】孔に設置した座金とネジの平面図。
【図５】枠に接する箱わな本体の正面図。
【図６】枠に接する箱わな本体を分解し、重ねた正面図。
【図７】上部半円形状の箱わなを分解し重ねた正面図。
【図８】上部半円形状の箱わな本体の正面図。
【図９】継ぎ手金具の斜視図。
【図１０】ロック錠付近の詳細断面図。
【手続補正５】
【補正対象書類名】明細書
【補正対象項目名】００２３
【補正方法】変更
【補正の内容】
【００２３】    （１）  箱わなの本体    （２）  入り口の枠    （３）  アングル    （４）  ネジ  （１８）  ワン金
【手続補正６】
【補正対象書類名】図面
【補正対象項目名】図９
【補正方法】変更
【補正の内容】
【図９】
2006136302.tif 000001
【手続補正７】
【補正対象書類名】図面
【補正対象項目名】図１１
【補正方法】削除
【補正の内容】
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
（１）ユーザーの現在位置情報を取得するための現在位置取得手段と、
（２）前記現在位置取得手段により取得されたユーザーの現在位置情報に基づいて、複数の場所の映像をそれぞれ取得するための各映像取得手段により取得された複数の場所の映像の中、ユーザーの現在位置又はその近くに存在する一つ又は複数の場所の映像を、略リアルタイムに無線又は有線通信により受信するための映像受信手段と、
（３）前記映像受信手段により受信された映像を略リアルタイムに表示するための、ユーザー側に備えられた映像表示手段と、
を備えたことを特徴とする略リアルタイム映像表示システム。
【請求項２】
（１）或る場所から或る目的地への経路情報を取得するための経路取得手段と、
（２）前記経路取得手段により取得された経路情報に基づいて、複数の場所の映像をそれぞれ取得するための各映像取得手段により取得された映像の中、前記経路の途中に存在する一つ又は複数の場所の映像を、略リアルタイムに無線又は有線通信により受信するための映像受信手段と、
（３）前記映像受信手段により受信された映像を略リアルタイムに表示するための、ユーザー側に備えられた映像表示手段と、
を備えたことを特徴とする略リアルタイム映像表示システム。
【請求項３】
請求項１又は２において、
（ａ）前記映像取得手段が存在する場所又はその近傍に備えられ、前記場所又はその近傍の匂いの情報を取得するための匂い情報取得手段と、
（ｂ）前記匂い情報取得手段により取得された匂い情報又はこれに基づく情報を、前記ユーザー側に送信するための匂い情報等受信手段と、
（ｃ）前記ユーザー側の映像表示手段又はその近傍に備えられ、前記映像表示手段によりある場所の映像が表示されているとき、前記匂い情報等受信手段により受信された情報に基づいて、前記映像表示手段により表示される又は表示されている映像の場所又はその近傍の匂いと同一又はこれに近似する匂いを発生させるための匂い発生手段と、
を備えたことを特徴とする略リアルタイム映像表示システム。
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
複数の磁石を有する移動体と、前記移動体をＸＹ方向に移動するために各方向に複数並べられたコイルを有する位置決め装置において、
前記複数の磁石はＸＹ方向に力を発生するための第１磁石ユニットと、Ｚ軸回りの回転方向に力を発生するための第２磁石ユニットを形成し、
Ｘ方向に力を発生するコイルの少なくとも一部がＺ軸回りの回転方向に力を発生し、Ｙ方向に力を発生するコイルからはＺ軸回りの回転方向に力が発生しないように、前記第２磁石ユニットが設けられていることを特徴とする位置決め装置。
【請求項２】
前記第２磁石ユニットは、前記第１磁石ユニットをＹ方向で挟むように少なくとも一対設けられ、対を構成する各々はＸ方向に力を発生するコイルのうち、異なるコイルによって駆動されることを特徴とする請求項１に記載の位置決め装置。
【請求項３】
前記第２磁石ユニットは、Ｘ方向にＮ極とＳ極を交互に並べた複数の磁石からなることを特徴とする請求項１または２に記載の位置決め装置。
【請求項４】
前記第１磁石ユニットは、二次元的にＮ極とＳ極を交互に並べた複数の磁石からなることを特徴とする請求項１〜３のいずれか１項に記載の位置決め装置。
【請求項５】
前記移動体は、Ｘ方向に所定の間隔で並べられた第１コイル層と、Ｙ方向に所定の間隔で並べられた第２コイル層とを有することを特徴とする請求項１〜４のいずれか１項に記載の位置決め装置。
【請求項６】
複数の磁石を有する移動体と、前記移動体をＸＹ方向に移動するために各方向に複数並べられたコイルを有する位置決め装置において、
前記複数の磁石はＸＹ方向に力を発生するための第１磁石ユニットと、Ｚ軸回りの回転方向に力を発生するための第２磁石ユニットを形成し、
Ｘ方向に力を発生するコイルの少なくとも一部がＺ軸回りの回転方向に力を発生し、前記第２磁石ユニットは、Ｘ方向に一列でＮ極とＳ極を交互に並べた複数の磁石からなることを特徴とする位置決め装置。
【請求項７】
前記第１磁石ユニットは二次元的にＮ極とＳ極を交互に並べた複数の磁石からなることを特徴とする請求項６に記載の位置決め装置。
【請求項８】
前記第２磁石ユニットは前記第１磁石ユニットをＹ方向で挟むように一対設けられることを特徴とする請求項６または７に記載の位置決め装置。
【請求項９】
移動体をプラテン上で移動する位置決め装置であって、
前記移動体は第１及び第２磁石ユニットとを有し、
前記プラテンは、Ｙ方向を長手方向とし、Ｘ方向に並べられた複数のコイルからなる第１コイル層と、Ｘ方向を長手方向とし、Ｙ方向に並べられた複数のコイルからなる第２コイル層とを有し、
前記第１または第２コイル層の少なくとも一部のコイルに電流を流すことによってＺ軸周りの回転方向に力を発生し、他方のコイル層のコイルからはＺ軸周りの回転方向に力を発生しないように前記第２磁石ユニットが設けられることを特徴とする位置決め装置。
【請求項１０】
複数の磁石を有する移動体と、前記移動体をＸＹ方向に移動するために各方向に複数並べられたコイルを有する位置決め装置において、
前記複数の磁石はＸＹ方向に力を発生するための第１磁石ユニットと、Ｚ軸回りの回転方向に力を発生するための第２磁石ユニットを形成し、
前記第１磁石ユニットは二次元的にＮ極とＳ極を交互に並べた複数の磁石からなり、
前記第２磁石ユニットは一次元的にＮ極とＳ極を交互に並べた複数の磁石からなることを特徴とする位置決め装置。
【請求項１１】
パターンを基板に露光する露光装置であって、請求項１〜１０のいずれかに記載の位置決め装置を用いて、基板を位置決めすることを特徴とする露光装置。
【請求項１２】
デバイス製造方法であって、請求項１１に記載の露光装置を用いてウエハを露光する工程と、前記ウエハを現像する工程とを備えることを特徴とするデバイス製造方法。
【手続補正書】
【提出日】平成19年10月12日(2007.10.12)
【手続補正１】
【補正対象書類名】明細書
【補正対象項目名】０００２
【補正方法】変更
【補正の内容】
【０００２】
複数針２重環縫いミシンは、生地の送りの方向と略直交する面内に並設され、前記生地を貫通して上下動する複数本の針と、これらの針の並設方向に前記生地の下面に沿って進退動作するルーパとを備えている。このミシンは、複数本の針の下動により繰り出されて上動への転換時に生地の下側に形成される針糸の糸環列をルーパの進出により捉え、生地の送りに伴って引き出す一方、前記ルーパの進出により繰り出されるルーパ糸を、該ルーパの後側に下動する針により捉える動作を繰り返すことにより２重環の縫目を形成する。
【手続補正２】
【補正対象書類名】明細書
【補正対象項目名】０００９
【補正方法】変更
【補正の内容】
【０００９】
第１のルーパ糸21は、図の左側から右側に向けて進出動作し、右側から左側に向けて退入動作するルーパ（図示せず）により、３つの糸環列11，11，11の並設域の全幅に亘って糸繰りされ、全ての糸環列11，11，11と図示の如く絡み合わされて第１の２重環縫い部を構成している。一方、第２のルーパ糸22は、３つの糸環列11，11，11のうち、ルーパの進出側を除く２つの糸環列11，11の並設域の幅内にて糸繰りされ、これらと図示の如く絡み合わされて第２の２重環縫い部を構成している。
【手続補正３】
【補正対象書類名】明細書
【補正対象項目名】００３８
【補正方法】変更
【補正の内容】
【００３８】
以上の如く構成されたルーパ２は、ミシン本体内部の主軸からの伝動によるルーパ棒５の進退動作に応じて、針１，１，１の下動と共に右退し、針１，１，１の上動と共に左進する。図１（ａ）は、ルーパ２が左進端にある状態を示している。このとき針１，１，１は、上死点の近傍にあり、ルーパ２は、左進の過程において捕捉した針糸10，10，10のループを保持している。左進端へ到達したルーパ２は、図１（ａ）中に矢符により示す如く前方への所定の移動を伴って右退を開始し、該ルーパ２に保持された針糸10，10，10は、この間に図中に白抜矢符により示す如く生地Ｗに加えられる送りにより、相対的に前方に引き出される。
【手続補正書】
【提出日】平成19年4月12日(2007.4.12)
【手続補正１】
【補正対象書類名】特許請求の範囲
【補正対象項目名】請求項１
【補正方法】変更
【補正の内容】
【請求項１】
遊技球を検知する始動入賞手段と、前記始動入賞手段が遊技球の入賞を検知したことを契機として複数種類の図柄を変動させて表示する図柄変動ゲームを行う表示手段を備えた遊技機において、
前記始動入賞手段とは別個に遊技球を検知する複数の検知手段を遊技盤の前記始動入賞手段から離れた位置にそれぞれ設け、各検知手段には各別に基準検知個数が定められており、少なくとも１つの検知手段が該検知手段に定められている基準検知個数分の遊技球を検知したことを契機に、少なくとも前記表示手段で行われる表示演出の演出態様を変更させることを特徴とする遊技機。
【手続補正２】
【補正対象書類名】明細書
【補正対象項目名】０００５
【補正方法】変更
【補正の内容】
【０００５】
上記問題点を解決するために、請求項１に記載の発明は、遊技球を検知する始動入賞手段と、前記始動入賞手段が遊技球の入賞を検知したことを契機として複数種類の図柄を変動させて表示する図柄変動ゲームを行う表示手段を備えた遊技機において、前記始動入賞手段とは別個に遊技球を検知する複数の検知手段を遊技盤の前記始動入賞手段から離れた位置にそれぞれ設け、各検知手段には各別に基準検知個数が定められており、少なくとも１つの検知手段が該検知手段に定められている基準検知個数分の遊技球を検知したことを契機に、少なくとも前記表示手段で行われる表示演出の演出態様を変更させることを要旨とする。
【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
磁気共鳴イメージング装置に用いられる受信コイルであって、被検体の撮像部位の周方向に配置され被検体の撮像部位を固定する固定部と、手術用治具が取り付けられるフレーム部と、前記固定部と前記フレーム部とを電気的に接続するコネクタ部とを有してループ状のコイルを構成する手術用受信コイルにおいて、前記手術用受信コイルの少なくとも一部が、導電体と不導電体の板状部材を重ね合わせた構造になっていて、前記導電体と不導電体の板状部材の面に平行な方向は前記磁気共鳴イメージング装置の発生する静磁場の方向に概ね平行であることを特徴とする手術用受信コイル。
【請求項２】
請求項１記載の手術用受信コイルにおいて、前記固定部と前記フレーム部の全てが導電体と不導電体の板状部材を重ね合わせた構造であることを特徴とする手術用受信コイル。
【請求項３】
請求項１及び２記載の手術用受信コイルを用いた磁気共鳴イメージング装置。
【手続補正２】
【補正対象書類名】明細書
【補正対象項目名】０００７
【補正方法】変更
【補正の内容】
【０００７】
本発明の第1の特徴によれば、磁気共鳴イメージング装置に用いられる受信コイルであって、被検体の撮像部位の周方向に配置され被検体の撮像部位を固定する固定部と、手術用治具が取り付けられるフレーム部と、前記固定部と前記フレーム部とを電気的に接続するコネクタ部とを有してループ状のコイルを構成する手術用受信コイルにおいて、前記手術用受信コイルの少なくとも一部が、導電体と不導電体の板状部材を重ね合わせた構造になっていて、前記導電体と不導電体の板状部材の面に平行な方向は前記磁気共鳴イメージング装置の発生する静磁場の方向に概ね平行であることを特徴とする手術用受信コイルが提供される。
【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
複数の磁界発生素子と、該複数の磁界発生素子に駆動信号を供給して磁界を発生させる駆動信号発生手段と、上記複数の磁界発生素子により発生される磁界を検出する磁界検出素子と、上記磁界発生素子と上記磁界検出素子との一方を内視鏡挿入部内に配設し該磁界発生素子と該磁界検出素子の他方をコイルユニット内に配設し、該磁界検出素子で検出した信号を受信して上記内視鏡挿入部の形状を算出する演算制御部を備える装置本体とを有する内視鏡挿入形状検出装置において、
上記コイルユニットが上記装置本体から分離されていると共に被検者から独立した位置に配設される
ことを特徴とする内視鏡挿入形状検出装置。
【請求項２】
上記コイルユニットの両側に上記被検者の姿勢を支持する支持部が形成されている
ことを特徴とする請求項１記載の内視鏡挿入形状検出装置。
【請求項３】
上記コイルユニットに固定部材が設けられている
ことを特徴とする請求項１或いは２記載の内視鏡挿入形状検出装置。
【請求項４】
上記コイルユニットが複数のユニット部に分割されている
ことを特徴とする請求項１〜３の何れかに記載の内視鏡挿入形状検出装置。
【請求項５】
上記コイルユニットがベッド上に形成した位置決め部に固設される
ことを特徴とする請求項１〜４の何れかに記載の内視鏡挿入形状検出装置。
【請求項６】
上記コイルユニットがユニット支持部材に固設されており、
上記ユニット支持部材が受け部材に支持される
ことを特徴とする請求項１〜４の何れかに記載の内視鏡挿入形状検出装置。
【請求項７】
上記ユニット支持部材が三次元空間の任意の位置及び方向に移動可能に保持する保持手段を有している
ことを特徴とする請求項６記載の内視鏡挿入形状検出装置。
【請求項８】
上記受け部材が移動自在であることを特徴とする
請求項６或いは７記載の内視鏡挿入形状検出装置。
【請求項９】
上記受け部材が上記装置本体に設けられている
ことを特徴とする請求項６記載の内視鏡挿入形状検出装置。
【請求項１０】
上記受け部材が上記ベッドの一側に設けられている
ことを特徴とする請求項６記載の内視鏡挿入形状検出装置。
【請求項１１】
上記受け部材が上記ベッドに対しクランプ部を介して着脱自在に設けられている
ことを特徴とする請求項１０記載の内視鏡挿入形状検出装置。
【請求項１２】
上記受け部材が施設に固設されている
ことを特徴とする請求項６記載の内視鏡挿入形状検出装置。
【手続補正書】
【提出日】平成19年8月28日(2007.8.28)
【手続補正１】
【補正対象書類名】明細書
【補正対象項目名】００４９
【補正方法】変更
【補正の内容】
【００４９】
上記枠体34は、図３乃至図４に示す如く、通気路の巾方向両側に相対向する一対の縦枠板34ａと、これら両縦枠板の上流端面を連結する上下一対の第１横枠板34ｂと、両枠板の下流寄り端面を連結する上下一対の第２横枠板34ｃとで形成されており、これら第１、第２横枠板により上記縦フィン38の上流寄り及び下流寄りの各端部を支持している。そして上記両縦枠板34ａの間に図３に示す如く前方へ開口する枠口35を設け、該枠口の周囲と通気路22内面との隙間を閉塞板36で閉塞して上記枠口35を介して空気が縦フィン38の間を流れるように構成している。図示例においては、上記枠体34の縦枠板34aを、上記通気路24の天井面付近まで、縦フィン38の上端面よりも上方へ延出して、該上端面上方の縦枠板部分の上流寄り端部の間に中間閉塞板部36aを架設するとともに、側方閉塞板部36ｂを、各縦枠板34aの上流寄り端部から側外方へそれぞれ突設しており、これら中間閉塞板部36aと側方閉塞板部36bとで閉塞板36を形成している。尚、図示例と異なり、閉塞板36を上記縦枠板の下流寄り端部或いは流れ方向中途部分から上方及び側外方へ張り出させても良い。但し後述の如く上記閉塞板を細菌捕捉板として兼用する場合には、紫外線光源28と近い上流寄り端部に付設することが望ましい。
【手続補正２】
【補正対象書類名】明細書
【補正対象項目名】００７０
【補正方法】変更
【補正の内容】
【００７０】
このフローチャートの内容に関して、第１実施形態と異なる点は、気化式加湿器32へ供給される高濃度オゾン水からオゾンが気化するとともに、そのオゾン水に水溶性臭気物質を溶解させて、その溶解水を、凝縮コイルによる凝縮によって、或いはそのまま排水するようにしたことである。即ち、図７の例では気液混合器80から送路16ｂを経て気化式加湿器32に送られる水はオゾンを運ぶ媒体として用いられるとともに、その同じ水が気化式加湿器の縦フィン38表面から気化して空気冷却器54により凝縮するまでの間には水溶性臭気物質を溶解させて運ぶ媒体として用いられるのである。このように従って本発明ではオゾンの気化及び臭気物質の溶解・排出という2つの目的のためにそれぞれ別々に水を使用する場合と比べて節水が図られ、更に上記気化式加湿器をその2つの目的に兼用できるので、装置の構造も簡単となる。
【手続補正３】
【補正対象書類名】明細書
【補正対象項目名】００７１
【補正方法】変更
【補正の内容】
【００７１】
【図１】本発明の第1の実施形態に係る装置を適用した空調システム全体の概念図である。
【図２】図１装置の一部透過斜視図である。
【図３】図１装置の要部縦断面図である。
【図４】図３のIV−IV線方向に見た図１装置の要部横断面図である。
【図５】図１装置の殺菌及び脱臭作用の流れのフローチャートである。
【図６】図１装置の制御の流れを表すフローチャートである。
【図７】本発明の第２の実施形態に係る装置を適用した空調システム全体の概念図である。
【図８】図７装置の殺菌及び脱臭作用の流れのフローチャートである。
【手続補正４】
【補正対象書類名】明細書
【補正対象項目名】００７２
【補正方法】変更
【補正の内容】
【００７２】
２…実験動物舎 ４…空気排気路 ６…循環空気流路 6ａ…吸込口 6ｂ…吹出口
10…殺菌兼脱臭装置 12…給水機構 14…給水バルブ 16…循環水路 16a…水槽
16b…送路 16ｃ…還路 18…外気導入路 20…外気導入口 22…送風ファン
24…通気路 26…オゾン供給部 28…紫外線光源 30…スイッチ
32…気化式加湿器 34…枠体 34a…縦枠板 34b…第1横枠板 
34c…第２横枠板 35…枠口 36…閉塞板 36ａ…中間閉塞板部 36b…側方閉塞板部
38…縦フィン 40…散水器 42…水溶性臭気物質濃度センサー
44…集水パン 46、47…仕切り壁 48…集水孔 50…補助閉塞板
54…空気冷却器 
58…排水パン 60…排水孔 62…排水路 66…加熱部 70…吸着部
72…非水溶性臭気物質濃度センサー 74…オゾン濃度センサー
76…送風ファン
80…気液混合器 82…オゾンガス発生装置 Ｓ…枠体上流面
【手続補正５】
【補正対象書類名】図面
【補正対象項目名】図２
【補正方法】変更
【補正の内容】
【図２】
2006136485.tif 000001
【手続補正６】
【補正対象書類名】図面
【補正対象項目名】図３
【補正方法】変更
【補正の内容】
【図３】
2006136485.tif 000002
【手続補正７】
【補正対象書類名】図面
【補正対象項目名】図４
【補正方法】変更
【補正の内容】
【図４】
2006136485.tif 000003
【手続補正書】
【提出日】平成19年3月23日(2007.3.23)
【手続補正１】
【補正対象書類名】明細書
【補正対象項目名】特許請求の範囲
【補正方法】変更
【補正の内容】
【特許請求の範囲】
【請求項１】  集積回路であって、
電源電圧および第１の基準電圧に結合された複数の第１のＩ／Ｏ回路と、
前記電源電圧および第２の基準電圧に結合された複数の第２のＩ／Ｏ回路とを含み、前記第１の基準電圧は前記第２の基準電圧とは異なり、前記複数の第１のＩ／Ｏ回路は前記第１の基準電圧に基づく第１のＩ／Ｏ規格と互換性があり、前記複数の第２のＩ／Ｏ回路は前記第２の基準電圧に基づく第２のＩ／Ｏ電圧規格と互換性があり、
前記Ｉ／Ｏ回路の各々が、
第１のレジスタと、
パッドに結合された出力を有する出力バッファと、
前記第１のレジスタの出力を前記出力バッファの入力に選択的に結合するように構成された第１のマルチプレクサ回路と、
前記第１のマルチプレクサ回路の第１の入力を前記第１のレジスタの入力に選択的に結合するように構成された第２のマルチプレクサ回路とを含む、集積回路。
【請求項２】  前記Ｉ／Ｏ回路の各々が、
前記出力バッファのトライステート制御入力に結合された出力を有する第２のレジスタをさらに含む、請求項１に記載の集積回路。
【請求項３】  前記Ｉ／Ｏ回路の各々が、
複数の論理素子のうちの１つを前記第２のレジスタの入力に選択的に結合するように構成された第３のマルチプレクサ回路をさらに含む、請求項２に記載の集積回路。
【請求項４】  前記Ｉ／Ｏ回路の各々が、
論理要素を前記第２のマルチプレクサ回路の第１の入力および前記第１のマルチプレクサ回路の第１の入力に選択的に結合するように構成された第３のマルチプレクサ回路をさらに含む、請求項２に記載の集積回路。
【請求項５】  前記Ｉ／Ｏ回路の各々が、
複数の論理要素のうちの１つを前記第１のレジスタのクロック入力に選択的に結合するように構成された第３のマルチプレクサ回路をさらに含む、請求項２に記載の集積回路。
【請求項６】  前記Ｉ／Ｏ回路の各々が、
論理素子を前記第２のマルチプレクサ回路の第１の入力および前記第１のマルチプレクサ回路の第１の入力に選択的に結合するように構成された第３のマルチプレクサ回路と、
複数の論理素子のうちの１つを前記第２のレジスタの入力に選択的に結合するように構
成された第４のマルチプレクサ回路とをさらに含む、請求項２に記載の集積回路。
【請求項７】  前記第１のマルチプレクサ回路と前記出力バッファの前記入力との間に結合された遅延線をさらに含む、請求項２に記載の集積回路。
【請求項８】  集積回路であって、
電源電圧および第１の基準電圧に結合された複数の第１のＩ／Ｏ回路と、
前記電源電圧および第２の基準電圧に結合された複数の第２のＩ／Ｏ回路とを含み、前記第１の基準電圧は前記第２の基準電圧とは異なり、前記複数の第１のＩ／Ｏ回路は前記第１の基準電圧に基づく第１のＩ／Ｏ規格と互換性があり、前記複数の第２のＩ／Ｏ回路は前記第２の基準電圧に基づく第２のＩ／Ｏ電圧規格と互換性があり、
前記Ｉ／Ｏ回路の各々が、
第１のレジスタと、
パッドに結合された出力を有する出力バッファと、
前記第１のレジスタの出力または前記第１のレジスタの入力を前記出力バッファの入力に選択的に結合するように構成された第１のマルチプレクサ回路と、
前記出力バッファのトライステート制御に結合された出力を有する第２のレジスタと、
複数の論理素子のうちの１つを前記第２のレジスタの入力に選択的に結合するように構成された第２のマルチプレクサ回路とを含む、集積回路。
【請求項９】  前記Ｉ／Ｏ回路の各々が、
論理素子を前記第１のレジスタの前記入力に選択的に結合するように構成された第３のマルチプレクサ回路をさらに含む、請求項８に記載の集積回路。
【請求項１０】  前記Ｉ／Ｏ回路の各々が、
複数の論理素子のうちの１つを前記第１のレジスタのクロック入力に選択的に結合するように構成された第３のマルチプレクサ回路をさらに含む、請求項８に記載の集積回路。
【請求項１１】  前記Ｉ／Ｏ回路の各々が、
論理素子を前記第１のレジスタの前記入力に選択的に結合するように構成された第３のマルチプレクサ回路と、
複数の論理素子のうちの１つを前記第１のレジスタのクロック入力に選択的に結合するように構成された第４のマルチプレクサ回路とをさらに含む、請求項８に記載の集積回路。
【請求項１２】  前記Ｉ／Ｏ回路の各々が、
前記第１のマルチプレクサ回路と前記出力バッファとの間に結合されたプログラマブル遅延線をさらに含む、請求項８に記載の集積回路。
【請求項１３】  集積回路であって、
電源電圧および第１の基準電圧に結合された複数の第１のＩ／Ｏ回路と、
前記電源電圧および第２の基準電圧に結合された複数の第２のＩ／Ｏ回路とを含み、前記第１の電源電圧は前記第２の電源電圧とは異なり、前記複数の第１のＩ／Ｏ回路は前記第１の基準電圧に基づく第１のＩ／Ｏ規格と互換性があり、前記複数の第２のＩ／Ｏ回路は前記第２の基準電圧に基づく第２のＩ／Ｏ電圧規格と互換性があり、
前記Ｉ／Ｏ回路の各々が、
第１のレジスタと、
パッドに結合された出力を有する出力バッファと、
前記第１のレジスタの出力または前記第１のレジスタの入力を前記出力バッファの入力に選択的に結合するように構成された第１のマルチプレクサ回路と、
論理素子を前記第１のレジスタの前記入力に選択的に結合するように構成された第２のマルチプレクサ回路とを含む、集積回路。
【請求項１４】  前記Ｉ／Ｏ回路の各々が、
前記出力バッファのトライステート制御に結合された出力を有する第２のレジスタをさらに含む、請求項１３に記載の集積回路。
【請求項１５】  前記Ｉ／Ｏ回路の各々が、
複数の論理素子のうちの１つを前記第１のレジスタのクロック入力に選択的に結合するように構成された第３のマルチプレクサ回路をさらに含む、請求項１３に記載の集積回路。
【請求項１６】  前記Ｉ／Ｏ回路の各々が、
前記出力バッファのトライステート制御に結合された出力を有する第２のレジスタと、
複数の論理素子のうちの１つを前記第１のレジスタのクロック入力に選択的に結合するように構成された第３のマルチプレクサ回路とを含む、請求項１３に記載の集積回路。
【請求項１７】  集積回路であって、
電源電圧および第１の基準電圧に結合された複数の第１のＩ／Ｏ回路と、
前記電源電圧および第２の基準電圧に結合された複数の第２のＩ／Ｏ回路とを含み、前記第１の基準電圧は前記第２の基準電圧とは異なり、前記複数の第１のＩ／Ｏ回路は前記第１の基準電圧に基づく第１のＩ／Ｏ規格と互換性があり、前記複数の第２のＩ／Ｏ回路は前記第２の基準電圧に基づく第２のＩ／Ｏ電圧規格と互換性があり、
前記Ｉ／Ｏ回路の各々が、
第１のレジスタと、
パッドに結合された出力を有する出力バッファと、
前記第１のレジスタの出力または前記第１のレジスタの入力を前記出力バッファの入力に選択的に結合するように構成された第１のマルチプレクサ回路と、
複数の論理素子のうちの１つを前記第１のレジスタのクロック入力に選択的に結合するように構成された第２のマルチプレクサ回路とを含む、集積回路。
【請求項１８】  前記Ｉ／Ｏ回路の各々が、
前記出力バッファのトライステート制御に結合された出力を有する第２のレジスタをさらに含む、請求項１７に記載の集積回路。
【手続補正書】
【提出日】平成19年2月23日(2007.2.23)
【手続補正１】
【補正対象書類名】明細書
【補正対象項目名】発明の名称
【補正方法】変更
【補正の内容】
【発明の名称】半導体装置
【手続補正２】
【補正対象書類名】明細書
【補正対象項目名】特許請求の範囲
【補正方法】変更
【補正の内容】
【特許請求の範囲】
【請求項１】
単結晶半導体を活性層とした絶縁ゲート型電界効果トランジスタを有する画素部を備えた半導体装置であって、
前記絶縁ゲート型電界効果トランジスタ上に形成された絶縁層と、該絶縁層上に形成された保持容量とを有し、
前記保持容量は、前記絶縁層上に形成された遮光層と、該遮光層上に接して形成された誘電体層と、前記絶縁ゲート型電界効果トランジスタに接続され、前記誘電体層上に形成された光反射性電極とを有することを特徴とする半導体装置。
【請求項２】
一対の基板間に、液晶を挟持してなり、
前記一対の基板の一方の基板には、単結晶半導体を活性層とした絶縁ゲート型電界効果トランジスタと、該絶縁ゲート型電界効果トランジスタ上に形成された絶縁層と、該絶縁層上に形成された保持容量とを有し、
前記保持容量は、前記絶縁層上に形成された遮光層と、該遮光層上に接して形成された誘電体層と、前記絶縁ゲート型電界効果トランジスタに接続され、前記誘電体層上に形成された光反射性電極とを有し、
前記一対の基板の他方の基板には、光透過性導電膜が形成されていることを特徴とする半導体装置。
【請求項３】
単結晶半導体を活性層とした絶縁ゲート型電界効果トランジスタと、該絶縁ゲート型電界効果トランジスタ上に形成された第１の絶縁層と、該第１の絶縁層上に形成された保持容量と、該保持容量上に形成された第２の絶縁層と、該第２の絶縁層上に形成されたＥＬ素子とを有し、
前記保持容量は、前記第１の絶縁層上に形成された遮光層と、該遮光層に接して形成された誘電体層と、前記絶縁ゲート型電界効果トランジスタに接続された光反射性電極とを有し、
前記ＥＬ素子は、前記第２の絶縁層上に形成された第１の電極と、前記第１の電極上に形成された発光層と、前記発光層上に形成された第２の電極とを有することを特徴とする半導体装置。
【請求項４】
半導体基板上に形成された酸化膜と、前記酸化膜上に形成された単結晶シリコン層とを有し、
前記単結晶シリコンを活性層とした絶縁ゲート型電界効果トランジスタを有する画素部を備えた半導体装置であって、
前記絶縁ゲート型電界効果トランジスタ上に形成された絶縁層と、該絶縁層上に形成された保持容量とを有し、
前記保持容量は、前記絶縁層上に形成された遮光層と、該遮光層上に接して形成された誘電体層と、前記絶縁ゲート型電界効果トランジスタに接続され、前記誘電体層上に形成された光反射性電極とを有することを特徴とする半導体装置。
【請求項５】
一対の基板間に、液晶を挟持してなり、
前記一対の基板の一方の半導体からなる基板上に、酸化膜と、前記酸化膜上に形成された単結晶シリコン層を活性層とした絶縁ゲート型電界効果トランジスタと、該絶縁ゲート型電界効果トランジスタ上に形成された絶縁層と、該絶縁層上に形成された保持容量とを有し、
前記保持容量は、前記絶縁層上に形成された遮光層と、該遮光層上に接して形成された誘電体層と、前記絶縁ゲート型電界効果トランジスタに接続され、前記誘電体層上に形成された光反射性電極とを有し、
前記一対の基板の他方の基板は、光透過性導電膜が形成されていることを特徴とする半導体装置。
【請求項６】
半導体基板上に形成された酸化膜と、前記酸化膜上に形成された単結晶シリコン層を活性層とした絶縁ゲート型電界効果トランジスタと、該絶縁ゲート型電界効果トランジスタ上に形成された第１の絶縁層と、該第１の絶縁層上に形成された保持容量と、該保持容量上に形成された第２の絶縁層と、該第２の絶縁層上に形成されたＥＬ素子とを有し、
前記保持容量は、前記第１の絶縁層上に形成された遮光層と、該遮光層上に接して形成された誘電体層と、前記絶縁ゲート型電界効果トランジスタに接続され、前記誘電体層上に形成された光反射性電極とを有し、
前記ＥＬ素子は、前記第２の絶縁層上に形成された第１の電極と、前記第１の電極上に形成された発光層と、前記発光層上に形成された第２の電極とを有することを特徴とする半導体装置。
【請求項７】
請求項２又は請求項５において、
前記液晶が無しきい値反強誘電性混合液晶であることを特徴とする半導体装置。
【請求項８】
請求項１、請求項２、請求項４、請求項５、請求項７のいずれか一において、
前記絶縁層は、有機樹脂絶縁層であることを特徴とする半導体装置。
【請求項９】
請求項３又は請求項６において、
前記第１の絶縁層は、有機樹脂絶縁層であることを特徴とする半導体装置。
【請求項１０】
請求項８又は請求項９において、
前記有機樹脂絶縁層と前記遮光層との間に無機材料からなる絶縁層が形成されていることを特徴とする半導体装置。
【請求項１１】
請求項１乃至請求項１０のいずれか一において、
前記遮光層はアルミニウム、タンタル、チタンから選ばれた一種または複数種を含む材料から成り、前記誘電体層は前記材料の酸化物であることを特徴とする半導体装置。
【請求項１２】
請求項１乃至請求項１１のいずれか一において、
前記半導体装置は携帯電話、ビデオカメラ、モバイルコンピュータ、ゴーグル型ディスプレイ、プロジェクター、携帯書籍、デジタルカメラ、ＤＶＤプレーヤーから選ばれた一つであることを特徴とする半導体装置。
【手続補正書】
【提出日】平成19年3月19日(2007.3.19)
【手続補正１】
【補正対象書類名】明細書
【補正対象項目名】特許請求の範囲
【補正方法】変更
【補正の内容】
【特許請求の範囲】
【請求項１】  隣接する基地局が同じ周波数で送信する無線通信システムで、基地局を同期化する方法であって、
隣接する基地局を傾聴するために、基地局において送信を停止するステップを含み、所与の基地局が隣接する基地局と同じ時間に送信を停止しない方法。
【請求項２】  所与の基地局が、隣接する基地局と同じ時間に送信を停止しないように、基地局における送信の停止が、前記無線通信システムによって管理される請求項１に記載の方法。
【請求項３】  基地局において、送信が定期的に停止される請求項１または２に記載の方法。
【請求項４】  基地局が、送信を停止するタイミングを同報通信する請求項１から３のいずれか一項に記載の方法。
【請求項５】  基地局の停止が、ネットワークで、好ましくは基地局コントローラで、管理される請求項１から４のいずれか一項に記載の方法。
【請求項６】  基地局を基準局と同期化するステップが、
基準局の同期化信号を傾聴するために基地局を停止させるステップ（４）と、
基地局の同期化信号を傾聴するために基準局を停止させるステップ（７）と、
基準局で、基地局から受信した同期化信号のオフセットを計算し、該オフセットを送信するステップと、
基地局で、受信したオフセットに従って同期化を行うステップ（８）とを含む請求項１から５のいずれか一項に記載の方法。
【請求項７】  オフセットを送信するステップが、ネットワークを通じてオフセットを送信するステップを含む請求項６に記載の方法。
【請求項８】  基準局の同期化信号を傾聴するために基地局を停止させる第２のステップ（９）と、
基地局で、前記第２のステップで基準局から受信した同期化信号から第２のオフセットを計算するステップと、
第２のオフセットを基準局から受信したオフセットと比較するステップとをさらに含む請求項６または７に記載の方法。
【請求項９】  第１の基地局を第２の基地局に同期化するステップが、移動局を通じて行なわれ、前記同期化が、
移動局で、両方の基地局からの同期化信号を傾聴し、両方の基地局からの同期化信号の受信結果の差を測定するステップと、
移動局を第１の基地局と同期化し、移動局からデータを送信するステップであって、前記データが、所与のオフセットを伴って第１の基地局で受信されるステップと、
第２の基地局で、移動局から受信したデータのオフセットを測定するステップとを含む請求項１から８のいずれか一項に記載の方法。
【請求項１０】  請求項１から９のいずれか一項に記載の方法を実行する無線通信システム。
【手続補正書】
【提出日】平成19年3月19日(2007.3.19)
【手続補正１】
【補正対象書類名】明細書
【補正対象項目名】特許請求の範囲
【補正方法】変更
【補正の内容】
【特許請求の範囲】
【請求項１】
集積回路において刻時を行うシステム(100)であって、
複数の遅延線(47a-47d)を有する遅延ロックループであって、前記遅延線のそれぞれが出力(53a-53d)を有し、前記出力のそれぞれが２つの連続した位相間の境界を確立するように構成された遅延ロックループ（ＤＬＬ）(25)と、
前記ＤＬＬ(25)の入力に供給される基準信号(24)であって、前記複数の遅延線の出力(53a-53d)のうちの少なくとも１つに実質的に等しい基準信号(24)と、
前記複数の遅延線の出力(53a-53d)に対応する複数の入力(53a-53d)を有するバッファ回路(100)であって、複数の出力(26a-26d)を有し、前記複数の出力(26a-26d)のそれぞれが、前記２つの連続した位相間の境界を確立するように構成されたバッファ回路(100)とを含み、
前記バッファ回路(100)は、前記複数の遅延線の出力のうちの少なくとも１つ(53d)を前記基準信号(24)に結合し、前記バッファ回路の複数の出力(26a-26d)によって確立される前記位相のうちの少なくとも２つにわたって誤差を平均するように更に構成されるシステム。
【請求項２】
前記結合回路(110,120)は、共通の出力(107)を備えた２つのインバータ(i0,i1)を更に含み、前記２つのインバータ(i0,i1)は、定義可能な期間にわたって、駆動競合するように構成される、請求項１に記載のシステム(100)。
【請求項３】
前記定義可能な期間は、前記基準信号の先行信号(78)と前記基準信号(24)を処理することによって定義される時間を含む、請求項１に記載のシステム(100)。
【請求項４】
前記誤差は前記基準信号(24)の中に存在する、請求項１に記載のシステム(100)。
【請求項５】
前記誤差は、前記複数の遅延線の出力(53a-53d)のうちの少なくとも１つの中に存在する、請求項１に記載のシステム(100)。
【請求項６】
遅延ロックループ（ＤＬＬ）(25)において刻時を行う方法(150)であって、前記遅延ロックループ(25)が、複数の遅延線(47a-47d)を有し、前記遅延線のそれぞれが、出力(53a-53d)を有し、前記出力のそれぞれが、２つの連続した位相間の境界を確立するものにおいて、
前記ＤＬＬ(25)において基準信号(24)を受信するステップと、
前記複数の遅延線の出力(53a-53d)のそれぞれをバッファ回路(100)の対応する入力(53a-53d)に供給するステップであって、前記バッファ回路(100)が、複数の出力(26a-26d)を更に有し、前記出力のそれぞれが、前記２つの連続した位相間の境界を画定するものである、前記複数の遅延線の出力(53a-53d)のそれぞれをバッファ回路(100)の対応する入力(53a-53d)に供給するステップと、
前記バッファ回路(100)において前記基準信号(24)と前記複数の遅延線の出力(53a-53d)のうちの少なくとも１つを結合することにより、前記バッファ回路の出力(26a-26d)によって確立される前記位相のうちの少なくとも２つにわたって誤差を平均するステップとからなる方法。
【請求項７】
前記誤差は前記基準信号(24)の中に存在する、請求項６に記載の方法(150)。
【請求項８】
前記誤差は、前記複数の遅延線の出力(53a-53d)のうちの少なくとも１つの中に存在する、請求項６に記載の方法(150)。
【請求項９】
前記複数の遅延線の出力(53a-53d)のうちの少なくとも１つは、前記基準信号(24)に実質的に等しい、請求項６に記載の方法(150)。
【請求項１０】
前記結合を行うステップは、共通の出力(107)を有する２つのインバータ(110,120)を定義可能な期間にわたって動作させることを含み、前記２つのインバータ(110,120)は、定義可能な期間にわたって駆動競合するように構成される、請求項６に記載の方法(150)。